(57)【要約】【課題】  顧客が移動型のサービス提供事業者のサービスを自分の登録したサービス提供エリアで授受可能な情報配信システムを提供する。【解決手段】  移動型サービス提供事業者端末５は、サービス開始前に、サービス提供エリアをプレゼンス管理サーバ２に登録する。プレゼンス管理サーバ２は、移動型サービス提供事業者端末５の状態管理テーブルを構築する。移動型サービス提供事業者端末５は、エリアにてプレゼンスが検出されると、加入者への情報コンテンツを情報配信サーバ４に登録する。情報配信サーバ４は登録された情報コンテンツを情報コンテンツデータベースに格納し、情報提供テーブルの生成が完了すると、その情報をサービス制御サーバ３へ通知する。サービス制御サーバ３は、情報配信サーバ４から通知された情報を参照してメッセージを構築し、加入者へ配信する。【選択図】      図１
2008263326.tif 000002
【特許請求の範囲】
【請求項１】
移動型のサービス提供事業者端末がサービス提供エリアを移動し、当該サービス提供エリア近隣の加入者端末に対してサービスを提供する情報配信システムであって、
前記サービス提供事業者端末のプレゼンス情報を管理するプレゼンス管理サーバを有することを特徴とする情報配信システム。
【請求項２】
前記プレゼンス管理サーバは、前記サービス提供事業者端末の特定エリアへの存在有無をプレゼンスとして管理することを特徴とする請求項１記載の情報配信システム。
【請求項３】
前記サービス提供事業者端末から前記加入者端末に対して配信したい情報を予め登録して管理する情報配信サーバと、前記サービス提供事業者のプレゼンスの状態変化が発生した場合に当該サービス提供事業者のサービスに参加している加入者端末に対して前記情報配信サーバに登録されている情報の配信を通知するサービス制御サーバとを含むことを特徴とする請求項１または請求項２記載の情報配信システム。
【請求項４】
前記情報配信サーバが管理する情報は、前記サービス提供事業者端末の移動中に更新可能としたことを特徴とする請求項３記載の情報配信システム。
【請求項５】
前記サービス制御サーバと前記加入者端末との間でＳＩＰ（Ｓｅｓｓｉｏｎ  Ｉｎｉｔｉａｔｉｏｎ  Ｐｒｏｔｏｃｏｌ）のＭＥＳＳＡＧＥ機能を利用してメッセージを定義することを特徴とする請求項３または請求項４記載の情報配信システム。
【請求項６】
前記サービス制御サーバは、前記加入者端末との間で定義したメッセージを利用して、前記加入者端末にアプリケーション制御情報をプッシュし、前記加入者端末が具備しているアプリケーションを制御することを特徴とする請求項５記載の情報配信システム。
【請求項７】
前記サービス制御サーバは、前記加入者端末との間で定義したメッセージを前記加入者端末へ配信することを特徴とする請求項５または請求項６記載の情報配信システム。
【請求項８】
前記メッセージの定義に、前記サービス提供事業者の識別情報、前記アプリケーションを制御するコマンド、前記コマンドの内容を示すメッセージタイプ及びメッセージボディを含むことを特徴とする請求項６または請求項７記載の情報配信システム。
【請求項９】
前記コマンドとして、前記アプリケーションを自動起動するコマンドと、表示中のアプリケーションを更新するコマンドとを含むことを特徴とする請求項８記載の情報配信システム。
【請求項１０】
前記メッセージタイプの種類として、ＷＥＢサーバにアクセスするためのＷＥＢ  ＵＲＬ（Ｕｎｉｆｏｒｍ  Ｒｅｓｏｕｒｃｅ  Ｌｏｃａｔｏｒ）、ユニキャストによる映像配信ＶｏＤ（Ｖｉｄｅｏ  Ｏｎ  Ｄｅｍａｎｄ）にアクセスするためのＶｏＤ  ＵＲＬ、マルチキャスト及びブロードキャストによる映像配信にアクセスするためのマルチキャストグループアドレス、通話するための電話番号、メッセージであることを示すテキスト情報を含むことを特徴とする請求項８または請求項９記載の情報配信システム。
【請求項１１】
前記情報配信サーバは、前記サービス提供エリアの情報と前記サービス提供事業者の情報とコンテンツリスト情報とコンテンツ種別情報とを管理するテーブルを含むことを特徴とする請求項３から請求項１０のいずれか記載の情報配信システム。
【請求項１２】
前記サービス制御サーバは、前記サービス提供エリアの情報と前記サービス提供事業者の情報とサービス利用ユーザの情報とを管理するテーブルを含むことを特徴とする請求項３から請求項１１のいずれか記載の情報配信システム。
【請求項１３】
移動型のサービス提供事業者端末がサービス提供エリアを移動し、当該サービス提供エリア近隣の加入者端末に対してサービスを提供するシステムに用いる情報配信方法であって、
プレゼンス管理サーバが、前記サービス提供事業者端末のプレゼンス情報を管理することを特徴とする情報配信方法。
【請求項１４】
前記プレゼンス管理サーバが、前記サービス提供事業者端末の特定エリアへの存在有無をプレゼンスとして管理することを特徴とする請求項１３記載の情報配信方法。
【請求項１５】
情報配信サーバが、前記サービス提供事業者端末から前記加入者端末に対して配信したい情報を予め登録して管理し、
サービス制御サーバが、前記サービス提供事業者のプレゼンスの状態変化が発生した場合に当該サービス提供事業者のサービスに参加している加入者端末に対して前記情報配信サーバに登録されている情報の配信を通知することを特徴とする請求項１３または請求項１４記載の情報配信方法。
【請求項１６】
前記情報配信サーバが管理する情報は、前記サービス提供事業者端末の移動中に更新可能としたことを特徴とする請求項１５記載の情報配信方法。
【請求項１７】
前記サービス制御サーバと前記加入者端末との間でＳＩＰ（Ｓｅｓｓｉｏｎ  Ｉｎｉｔｉａｔｉｏｎ  Ｐｒｏｔｏｃｏｌ）のＭＥＳＳＡＧＥ機能を利用してメッセージを定義することを特徴とする請求項１５または請求項１６記載の情報配信方法。
【請求項１８】
前記サービス制御サーバが、前記加入者端末との間で定義したメッセージを利用して、前記加入者端末にアプリケーション制御情報をプッシュし、前記加入者端末が具備しているアプリケーションを制御することを特徴とする請求項１７記載の情報配信方法。
【請求項１９】
前記サービス制御サーバが、前記加入者端末との間で定義したメッセージを前記加入者端末へ配信することを特徴とする請求項１７または請求項１８記載の情報配信方法。
【請求項２０】
前記メッセージの定義に、前記サービス提供事業者の識別情報、前記アプリケーションを制御するコマンド、前記コマンドの内容を示すメッセージタイプ及びメッセージボディを含むことを特徴とする請求項１８または請求項１９記載の情報配信方法。
【請求項２１】
前記コマンドとして、前記アプリケーションを自動起動するコマンドと、表示中のアプリケーションを更新するコマンドとを含むことを特徴とする請求項２０記載の情報配信方法。
【請求項２２】
前記メッセージタイプの種類として、ＷＥＢサーバにアクセスするためのＷＥＢ  ＵＲＬ（Ｕｎｉｆｏｒｍ  Ｒｅｓｏｕｒｃｅ  Ｌｏｃａｔｏｒ）、ユニキャストによる映像配信ＶｏＤ（Ｖｉｄｅｏ  Ｏｎ  Ｄｅｍａｎｄ）にアクセスするためのＶｏＤ  ＵＲＬ、マルチキャスト及びブロードキャストによる映像配信にアクセスするためのマルチキャストグループアドレス、通話するための電話番号、メッセージであることを示すテキスト情報を含むことを特徴とする請求項２０または請求項２１記載の情報配信方法。
【請求項２３】
前記情報配信サーバに、前記サービス提供エリアの情報と前記サービス提供事業者の情報とコンテンツリスト情報とコンテンツ種別情報とを管理するテーブルを設けたことを特徴とする請求項１５から請求項２２のいずれか記載の情報配信方法。
【請求項２４】
前記サービス制御サーバに、前記サービス提供エリアの情報と前記サービス提供事業者の情報とサービス利用ユーザの情報とを管理するテーブルを設けたことを特徴とする請求項１５から請求項２３のいずれか記載の情報配信方法。
【発明の詳細な説明】
【技術分野】
【０００１】
本発明は情報配信システム及びそれに用いる情報配信方法に関し、特に次世代通信網におけるプレゼンスを活用した情報配信システムに関する。
【背景技術】
【０００２】
近年、通信事業者による次世代通信網の構築が行われている。この次世代通信網は、ＮＧＮ（Ｎｅｘｔ  Ｇｅｎｅｒａｔｉｏｎ  Ｎｅｔｗｏｒｋ）と呼ばれている（例えば、非特許文献１参照）。次世代通信網ＮＧＮでは、ＩＰ（Ｉｎｔｅｒｎｅｔ  ｐｒｏｔｏｃｏｌ）技術を利用することによって、電話等の音声、映像、データを共通の通信基盤で通信を実現させて、次世代通信網構築の機器調達や保守・運用面でのコスト低減が期待されている。
【０００３】
標準化機関であるＥＴＳＩ（Ｅｕｒｏｐｅａｎ  Ｔｅｌｅｃｏｍｍｕｎｉｃａｔｉｏｎ  Ｓｔａｎｄａｒｄｓ  Ｉｎｓｔｉｔｕｔｅ）やＩＴＵ−Ｔ（Ｉｎｔｅｒｎｅｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）では、この次世代通信網を実現するためにプロトコルの標準化が進められている。
【０００４】
インタネット等の既存のＩＰ網は、低コストという利点はあるが、通信の安定性や信頼性が必ずしも保証されているネットワークではない。しかしながら、次世代通信網では、サーバと端末（クライアント）との間にセッションを確立し、そのセッション毎に通信帯域や通信品質を管理し、保証する方法が採られることが多い。この保証によって、次世代通信網では、既存のＩＰ網と比較して、通信の安定性や信頼性を保証することが可能になっている。
【０００５】
次世代通信網において、通信帯域や通信品質を確保するために用いられるセッション制御プロトコルは、例えば、ＳＩＰ（Ｓｅｓｓｉｏｎ  Ｉｎｉｔｉａｔｉｏｎ  Ｐｒｏｔｏｃｏｌ）である。このＳＩＰは、サーバと端末（クライアント）との間のセッションを制御する機能のみならず、サーバと端末（クライアント）との間で、メッセージ（ＳＩＰ／ＭＥＳＳＡＧＥ）を送受信する機能や、ＳＩＰを用いて、一般的に、あらゆるものの存在や状態を通知するというプレゼンス機能が具備されている。このプレゼンス機能を利用してのサービス提供形態が広く検討されている。
【０００６】
【非特許文献１】ＩＴＵ−Ｔ勧告Ｙ．２００１（１２／２００４）、“Ｇｅｎｅｒａｌ  Ｏｖｅｒｖｉｅｗ  ｏｆ  ＮＧＮ”
【発明の開示】
【発明が解決しようとする課題】
【０００７】
従来のプレゼンスを利用したサービス提供形態としては、サービスに加入する顧客が移動者であり、ｌ顧客のプレゼンス情報の変化をトリガにして、サービス提供者（サービス提供事業者）がサービス情報を顧客に配信する形態である。
【０００８】
したがって、いままでのプレゼンスを利用したサービス提供方式では、移動している顧客に対してサービスを提供するという限られた顧客のみのサービス提供であり、固定系の顧客に対してはプレゼンスを利用した有効なサービス提供方式がない。
【０００９】
そこで、本発明の目的は上記の問題点を解消し、顧客が移動型のサービス提供事業者のサービスを自分の登録したサービス提供エリアで授受することができる情報配信システム及びそれに用いる情報配信方法を提供することにある。
【課題を解決するための手段】
【００１０】
本発明による情報配信システムは、移動型のサービス提供事業者端末がサービス提供エリアを移動し、当該サービス提供エリア近隣の加入者端末に対してサービスを提供する情報配信システムであって、
前記サービス提供事業者端末のプレゼンス情報を管理するプレゼンス管理サーバを備えている。
【００１１】
本発明による情報配信方法は、移動型のサービス提供事業者端末がサービス提供エリアを移動し、当該サービス提供エリア近隣の加入者端末に対してサービスを提供するシステムに用いる情報配信方法であって、
プレゼンス管理サーバが、前記サービス提供事業者端末のプレゼンス情報を管理している。
【００１２】
すなわち、本発明の情報配信システムは、サービスを提供する側であるサービス提供事業者、特に移動交通手段（車、バス等）によってサービス提供エリアを移動し、そのエリア近隣の顧客［端末（クライアント）］に対してサービス提供事業者がサービスを提供するという方式であり、移動型サービス提供事業者のプレゼンス情報をプレゼンス管理サーバが管理している。
【００１３】
また、本発明の情報配信システムでは、移動型サービス提供事業者のプレゼンスの状態変化が発生した場合、サービス制御サーバがサービスに参加している顧客［端末（クライアント）］に対して、情報を配信している。この場合、移動型サービス提供事業者は、顧客［端末（クライアント）］に対して配信したい情報を情報配信サーバに予め登録して管理する。
【００１４】
移動型サービス提供事業者が情報配信サーバに予め登録した顧客［端末（クライアント）］に配信したい情報は、サービス提供事業者が移動中であっても更新することが可能である。よって、移動型サービス提供事業者は、移動中も顧客［端末（クライアント）］に対して最新の情報を配信することが可能である。
【００１５】
上記のように、本発明の情報配信システムでは、移動してサービス提供を実施する移動型のサービス提供事業者の状態をプレゼンスとして管理しているため、顧客［端末（クライアント）］が移動型のサービス提供事業者のサービスを自分の登録したサービス提供エリアでサービスを授受することが可能となる。
【００１６】
また、本発明の情報配信システムでは、移動型のサービス提供事業者が予めサービス提供する情報を情報コンテンツとして情報配信サーバに登録し、自サービス提供事業者の移動に合わせて情報コンテンツを加入者に配信するため、顧客［端末（クライアント）］が移動型のサービス提供事業者のサービス状況を正確に認識することが可能となる。
【００１７】
さらに、本発明の情報配信システムでは、移動型のサービス提供事業者の特定エリアの存在有無をプレゼンスとして管理し、サービス登録した顧客［端末（クライアント）］へ情報コンテンツを配信するため、移動型のサービス提供事業者が、固定網に接続されかつ移動型のサービス提供事業者が近隣のエリアにきてサービスを提供するのを待っている顧客［端末（クライアント）］を獲得し、その顧客［端末（クライアント）］にサービスを提供することが可能となる。
【発明の効果】
【００１８】
本発明は、上記のような構成及び動作とすることで、顧客が移動型のサービス提供事業者のサービスを自分の登録したサービス提供エリアで授受することができるという効果が得られる。
【発明を実施するための最良の形態】
【００１９】
次に、本発明の実施例について図面を参照して説明する。
【実施例１】
【００２０】
図１は本発明の一実施例による情報配信システムの構成例を示すブロック図である。図１において、本発明の一実施例による情報配信システムは、ネットワーク１００と、加入者＃１端末１−１、加入者＃２端末１−２、・・・、加入者＃Ｎ端末１−Ｎと、プレゼンス管理サーバ２と、サービス制御サーバ３と、情報配信サーバ４と、エリア（サービス提供エリア）（＃Ａ）２０２、エリア（サービス提供エリア）（＃Ｎ）２０１と、移動型サービス提供事業者端末５とから構成されている。
【００２１】
図２は図１の加入者端末１の構成例を示すブロック図である。図２において、加入者端末１は、ＳＩＰ（Ｓｅｓｓｉｏｎ  Ｉｎｉｔｉａｔｉｏｎ  Ｐｒｏｔｏｃｏｌ）機能１１と、ＳＩＰメッセージ機能１２と、アプリケーション機能１３と、表示機能１４とを備えている。尚、加入者＃１端末１−１、加入者＃２端末１−２、・・・、加入者＃Ｎ端末１−Ｎは、上記の加入者端末１と同様の構成となっている。
【００２２】
図３は図１のプレゼンス管理サーバ２の構成例を示すブロック図である。図３において、プレゼンス管理サーバ２は、移動型サービス提供事業者状態管理テーブル２１と、移動型サービス提供事業者プレゼンス管理機能２２と、ＳＩＰ機能２３とを備えている。
【００２３】
図４は図１のサービス制御サーバ３の構成例を示すブロック図である。図４において、サービス制御サーバ３は、利用者管理テーブル３１と、ＳＩＰ機能３２と、アプリケーション制御実行機能３３とを備えている。
【００２４】
図５は図１の情報配信サーバ４の構成例を示すブロック図である。図５において、情報配信サーバ４は、移動型サービス提供事業者サービス情報提供テーブル４１と、ＳＩＰ機能４２と、ＳＩＰメッセージ機能４３と、情報配信機能４４と、情報コンテンツデータベース４５とを備えている。
【００２５】
図６は図１の移動型サービス提供事業者端末５の構成例を示すブロック図である。図６において、移動型サービス提供事業者端末５は、位置情報通知機能５１と、情報配信機能５２とを備えている。
【００２６】
図７は本発明の一実施例によるメッセージの構成例を示す図であり、図８は図３の移動型サービス提供事業者状態管理テーブル２１の構成例を示す図であり、図９は図４の利用者管理テーブル３１の構成例を示す図であり、図１０は図５の移動型サービス提供事業者サービス情報提供テーブル４１の構成例を示す図である。これら図１〜図１０を参照して本発明の一実施例による情報配信システムの構成及び動作について説明する。
【００２７】
ネットワーク１００は、通信事業者によって提供されるＩＰ（Ｉｎｔｅｒｎｅｔ  Ｐｒｏｔｏｃｏｌ）網で、通信帯域や通信品質を保証する通信網である。ネットワーク１００は、サーバと端末（クライアント）との間の通信の帯域と品質を保証するために、ＳＩＰによる通信のセッションを制御する機能を備えている。
【００２８】
また、ネットワーク１００は、サーバと端末（クライアント）との間の１対１通信であるユニキャスト通信と、１対特定多数通信であるマルチキャスト通信と、１対不特定多数通信であるブロードキャスト通信とのそれぞれの通信機能を提供する。さらに、ネットワーク１００は、サーバと端末（クライアント）との間にて、そのＳＩＰを用いてのプレゼンス機能にかかわるメッセージの送受信を可能とする。
【００２９】
加入者＃１端末１−１、加入者＃２端末１−２、・・・、加入者＃Ｎ端末１−Ｎと、プレゼンス管理サーバ２と、サービス制御サーバ３と、情報配信サーバ４とにおいては、ネットワーク１００での通信帯域や通信品質を保証してもらうためにＳＩＰ機能１１，２３，３２，４２を備え、ＳＩＰによってネットワーク１００にセッション制御を要求する。尚、プレゼンス管理サーバ２のＳＩＰ機能２３及びサービス制御サーバ３のＳＩＰ機能３２には、ＲＦＣ３２６５にて規定されたＳＩＭＰＬＥ（ＳＩＰ  ｆｏｒ  Ｉｎｓｔａｎｔ  Ｍｅｓｓａｇｉｎｇ  ａｎｄ  Ｐｒｅｓｅｎｃｅ  Ｌｅｖｅｒａｇｉｎｇ  Ｅｘｔｅｎｓｉｏｎｓ）の機能が具備している。
【００３０】
加入者＃１端末１−１、加入者＃２端末１−２、・・・、加入者＃Ｎ端末１−Ｎと、サービス制御サーバ４とにおいては、ネットワーク１００が提供するＳＩＰのＭＥＳＳＡＧＥ機能を利用するＳＩＰメッセージ機能１２，４３を備えている。
【００３１】
加入者＃１端末１−１、加入者＃２端末１−２、・・・、加入者＃Ｎ端末１−Ｎは、ＷＥＢブラウザ機能、映像再生機能、発信・着信による通話機能、発信・着信による電話と映像とによる通話機能、テキスト情報メッセージを表示する機能を示すアプリケーション機能１３を備えている。
【００３２】
また、加入者＃１端末１−１、加入者＃２端末１−２、・・・、加入者＃Ｎ端末１−Ｎは、ＷＥＢブラウザ機能、映像再生機能、発信・着信による通話機能、発信・着信による電話と映像とによる通話機能、テキスト情報メッセージを表示する機能のそれぞれを同時に複数画面で加入者が利用するモニタやテレビ画面に表示する表示機能１４を備えている。
【００３３】
移動型サービス提供事業者端末５は、自位置情報をＧＰＳ（Ｇｌｏｂａｌ  Ｐｏｓｉｔｉｏｎｉｎｇ  Ｓｙｓｔｅｍ）、ＰＨＳ（Ｐｅｒｓｏｎａｌ  Ｈａｎｄｙ−ｐｈｏｎｅ  Ｓｙｓｔｅｍ）、ＲＦＩＤ（Ｒａｄｉｏ  Ｆｒｅｑｕｅｎｃｙ  Ｉｄｅｎｔｉｆｉｃａｔｉｏｎ）等にて検出させるための位置情報通知機能５１と、自端末より情報を配信するための情報配信機能５２とを備えている。
【００３４】
エリア（＃Ａ）２０２やエリア（＃Ｎ）２０１は、ある特定のエリアであり、移動型サービス提供事業者端末５の存在、すなわち、エリア内の移動型サービス提供事業者のプレゼンスをＧＰＳ、ＰＨＳ、ＲＦＩＤ等で検出する機能（図示せず）を複数の場所に備えている。
【００３５】
移動型サービス提供事業者端末５を検出すると、エリア（＃Ａ）２０２やエリア（＃Ｎ）２０１にある検出機能は、ネットワーク１００を介して、プレゼンス管理サーバ２にプレゼンスの状態変化を通知する。
【００３６】
プレゼンス管理サーバ２は、移動型サービス提供事業者端末５のプレゼンスを管理する移動型サービス提供事業者プレゼンス管理機能２２を備えている。また、移動型サービス提供事業者端末５のプレゼンスの状態変化が発生した場合、プレゼンス管理サーバ２の移動型サービス提供事業者プレゼンス管理機能２２は、状態変化通知をサービス制御サーバ３へ送信する。
【００３７】
一般的に、エリア（＃Ａ）２０２やエリア（＃Ｎ）２０１と移動型サービス提供事業者端末５とがプレゼンス・ユーザ・エージェントとなり、プレゼンス管理サーバ２がプレゼンスサーバとなり、サービス制御サーバ３がウォッチャーの関係となる。
【００３８】
情報配信サーバ４は、加入者＃１端末１−１、加入者＃２端末１−２、・・・、加入者＃Ｎ端末１−Ｎへの映像配信、ＷＥＢ配信、テキスト情報メッセージを送信する情報配信機能４４を備えている。
【００３９】
サービス制御サーバ３は、加入者＃１端末１−１、加入者＃２端末１−２、・・・、加入者＃Ｎ端末１−Ｎのアプリケーション制御（アプリケーション機能１３の制御）を実行するためのアプリケーション制御実行機能３３を備えている。
【００４０】
サービス制御サーバ３が、加入者＃１端末１−１、加入者＃２端末１−２、・・・、加入者＃Ｎ端末１−Ｎのアプリケーション制御を実行するために利用するメッセージ定義例を図７を参照して説明する。図７において、メッセージｍは、移動型サービス提供事業者ＩＤｍ１と、コマンドｍ２と、メッセージタイプｍ３と、メッセージボディｍ４とから構成されている。
【００４１】
移動型サービス提供事業者ＩＤｍ１は、サービス提供事業者にＩＤを付与し、どの移動型サービス提供事業者が加入者端末を制御しているのかを認識し、判定するために利用される。コマンドｍ２は、サービス制御サーバ３が加入者端末のアプリケーション制御を実行するための命令情報が定義される。コマンドｍ２の種類として、アプリケーション自動起動、アプリケーション制御にかかわる情報を蓄積（キャッシュ）、表示中のアプリケーションを更新するコマンドと、アプリケーションを制御するための情報を加入者端末が保持するデータベースに登録、またデータベースに保持されている情報を登録削除するコマンドと、通話機能のために、自端末より発信、相手から自端末への着信を自動制御するコマンドと、通話状態を切断制御するコマンドと、加入者端末やサービス提供者端末の設定情報を制御するコマンドと、加入者端末が起動しているアプリケーションを終了するコマンドと、制御された端末の状態を通知するコマンドとがある。
【００４２】
メッセージタイプｍ３には、情報配信サーバ４にアクセスするための情報が示され、メッセージタイプｍ３に対応した具体的な情報が、メッセージボディｍ４に記述される。メッセージタイプｍ３の種類としては、ＷＥＢサーバにアクセスするためのＷＥＢ  ＵＲＬ（Ｕｎｉｆｏｒｍ  Ｒｅｓｏｕｒｃｅ  Ｌｏｃａｔｏｒ）、ユニキャストによる映像配信ＶｏＤ（Ｖｉｄｅｏ  Ｏｎ  Ｄｅｍａｎｄ）にアクセスするためのＶｏＤ  ＵＲＬ、またマルチキャストやブロードキャストによる映像配信にアクセスするためのマルチキャストグループアドレス、通話するための電話番号、メッセージであることを示すテキスト情報、端末を制御するための情報がある。メッセージボディｍ４には、メッセージタイプｍ３で定義された内容の具体的な情報が記述される。
【００４３】
図１１は本発明の一実施例による情報配信システムの動作を示すシーケンスチャートである。これら図１〜図１１を参照して本発明の一実施例による情報配信システムの動作について説明する。
【００４４】
通信事業者が提供するネットワーク１００は、ＳＩＰによるサーバと端末（クライアント）との間のセッションを制御する機能、サーバと端末（クライアント）との間でメッセージ（ＳＩＰ／ＭＥＳＳＡＧＥ）を送受信する機能、ＳＩＰを用いて、一般的に、あらゆるものの存在や状態を通知するというプレゼンス機能を提供する基盤となり、かつこれらの機能の動作は、周知であるのでその図示及び説明を省略する。
【００４５】
移動型サービス提供事業者端末５は、サービスを開始する前に、サービス提供エリアをプレゼンス管理サーバ２に登録する（図１１のａ１）。プレゼンス管理サーバ２は、移動型サービス提供事業者端末５の状態管理テーブル（移動型サービス提供事業者状態管理テーブル２１）を構築する（図１１のａ２）。
【００４６】
この移動型サービス提供事業者状態管理テーブル２１は、図８に示すように、エリア情報領域２１１と、移動型サービス提供事業者領域２１２と、状態領域２１３とから構成されている。エリア情報領域２１１には、移動型サービス提供事業者端末５の状態を管理するエリア情報が格納され、移動型サービス提供事業者領域２１２には、そのエリアでサービスを提供するサービス提供事業者の情報が格納される。
【００４７】
移動型サービス提供事業者端末５は、この移動型サービス提供事業者状態管理テーブル２１のエリア情報領域２１１及び移動型サービス提供事業者領域２１２に自端末がサービスを提供したいエリアを登録することになる（図１１のａ１のプロセス）。
【００４８】
状態領域２１３には、そのエリアでの移動型サービス提供事業者端末５の存在を示す。図８に示す状態領域２１３には、エリアに存在することを「ｏｎｌｉｎｅ」、存在しないことを「ｏｆｆｌｉｎｅ」として管理している例を示している。
【００４９】
移動型サービス提供事業者端末５は、エリアにてプレゼンスが検出された場合、加入者へ通知してほしい情報コンテンツを情報配信サーバ４に登録する（図１１のａ４）。情報配信サーバ４は、移動型サービス提供事業者端末５から登録された情報コンテンツを情報コンテンツデータベース４５に格納する（図１１のａ６）。
【００５０】
情報配信サーバ４は、図１０に示す移動型サービス提供事業者サービス情報提供テーブル４１を構築し、各移動型サービス提供事業者の情報コンテンツを管理する。図１０において、移動型サービス提供事業者サービス情報提供テーブル４１は、エリア情報領域４１１と、移動型サービス提供事業者領域４１２と、コンテンツリスト領域４１３と、種別領域４１４と、コンテンツアクセス情報領域４１５とから構成されている。
【００５１】
エリア情報領域４１１には、移動型サービス提供事業者端末５の状態を管理するエリア情報が格納される。移動型サービス提供事業者領域４１２には、そのエリアでサービスを提供するサービス提供事業者の情報が格納される。エリア情報領域４１１と移動型サービス提供事業者領域４１２との対応は、上記のａ２の処理にて、プレゼンス管理サーバ２に登録され、構築された移動型サービス提供事業者状態管理テーブル２１のエリア情報領域２１１と移動型サービス提供事業者領域２１２との対応と同等のマッピングになる。
【００５２】
コンテンツリスト領域４１３には、情報配信サーバ４によって加入者へ配信される情報のタイトル名が格納される。コンテンツアクセス情報領域４１５には、情報コンテンツへのアクセス情報が格納される。
【００５３】
コンテンツリスト領域４１３の情報とコンテンツアクセス情報領域４１５の情報とが、メッセージｍのメッセージボディｍ４に、ＷＥＢ  ＵＲＬ、ＶｏＤ  ＵＲＬ、マルチキャストグループアドレス、メッセージのテキスト情報としてマッピングされる。
【００５４】
種別領域４１４には、加入者へ配信される情報の種別、すなわち、ＷＥＢ、映像配信（ＶｏＤ）、映像配信（マルチキャスト、ブロードキャスト）、テキスト情報が格納される。種別領域４１４の情報が、メッセージｍのメッセージタイプｍ３にマッピングされる。
【００５５】
ここで、本実施例では、移動型のサービス提供事業者による顧客へのサービス提供を前提としているので、メッセージｍのコマンドｍ２には、リアルタイムで情報を顧客に表示する自動がマッピングされる。
【００５６】
情報配信サーバ４は、移動型サービス提供事業者サービス情報提供テーブル４１の生成が完了すると、その情報をサービス制御サーバ３へ通知する（図１１のａ７）。サービス制御サーバ３は、情報配信サーバ４から通知された情報を参照して図７に示すメッセージ定義例のメッセージｍを構築し、加入者へ配信することになる。
【００５７】
一方、加入者側である加入者＃１端末１−１と加入者＃Ｎ端末１−Ｎとは、エリア別の移動型サービス提供事業者のサービスを受けるために参加登録を行う（図１１のａ８，ａ１０）
【００５８】
サービス制御サーバ３は、加入者からの参加登録を受け付けると、利用者管理テーブル３１を構築する（図１１のａ９，ａ１１）。利用者管理テーブル３１は、図９に示すように、エリア情報領域３１１と、移動型サービス提供事業者領域３１２と、サービス利用ユーザ領域３１３とから構成されている。
【００５９】
エリア情報領域３１１には、移動型サービス提供事業者端末５の状態を管理するエリア情報が格納される。移動型サービス提供事業者領域３１２には、そのエリアでサービスを提供するサービス提供事業者の情報が格納される。サービス利用ユーザ領域３１３には、サービスへの参加登録した加入者の情報が格納される。
【００６０】
エリア情報領域３１１と移動型サービス提供事業者領域３１２との対応は、上記のａ２の処理にて、プレゼンス管理サーバ２に登録されて構築された移動型サービス提供事業者状態管理テーブル２１のエリア情報領域２１１と移動型サービス提供事業者領域２１２との対応と同等のマッピングになる。
【００６１】
上記のように、加入者は、予め加入者が利用可能なエリアで提供される移動型サービス提供事業者のサービスへの参加登録をすることになる。
【００６２】
図１２は本発明の一実施例による情報配信システムの動作を示すシーケンスチャートである。図１２においては、移動型サービス提供事業者端末５がエリア（＃Ｎ）２０１に移動して、加入者にサービスを提供するまでの動作を示している。これら図１〜図１０と図１２とを参照して本発明の一実施例による情報配信システムの動作について説明する。
【００６３】
移動型サービス提供事業者端末５が、エリア（＃Ｎ）２０１に移動する（図１２のｂ１）。ここでは、例えば、移動型サービス提供事業者の「ａ事業者」が移動したものとする。エリア（＃Ｎ）２０１では、ＧＰＳ、ＰＨＳ、ＲＦＩＤ等の周知の技術によって、移動型サービス提供事業者が検出される（図１２のｂ２）。
【００６４】
エリア（＃Ｎ）２０１からは、移動型サービス提供事業者「ａ事業者」のプレゼンス状態が変化したことがプレゼンス管理サーバ２に通知される（図１２のｂ３）。通知を受けたプレゼンス管理サーバ２は、移動型サービス提供事業者状態管理テーブル２１の状態を更新する（図１２のｂ４）。プレゼンス管理サーバ２は、移動型サービス提供事業者状態管理テーブル２１を更新したことをサービス制御サーバ３へ通知する（図１２のｂ５）。この場合、プレゼンス管理サーバ２はＳＩＰ機能２３にて、ＳＩＰ／ＳＩＭＰＬＥの仕組みでプレゼンス状態の変化をサービス制御サーバ３へ通知する。尚、ＳＩＰ／ＳＩＭＰＬＥの仕組みであるＳＵＢＳＣＲＩＢＥ／ＮＯＴＩＦＹ／ＲＥＳＰＯＮＳＥメソッドについては、当業者によく知られた技術であるので、その説明については省略する。
【００６５】
エリア（＃Ｎ）２０１の「ａ事業者」の状態変化通知を受けたサービス制御サーバ３は、情報配信サーバ４の移動型サービス提供事業者サービス情報提供テーブル４１を検索し、エリア（＃Ｎ）２０１で「ａ事業者」が加入者へ提供するコンテンツを検索する（図１２のｂ６）。
【００６６】
引き続き、サービス制御サーバ３は、利用者管理テーブル３１を検索し、エリア（＃Ｎ）２０１の「ａ事業者」のサービス提供に申請登録した加入者を検索する（図１２のｂ７）。サービス制御サーバ３は、サービス参加加入者へ、「ａ事業者」が配信したい情報コンテンツが登録されている情報配信サーバ４への情報を図７に示すメッセージ定義例のメッセージｍとして構築し、ＳＩＰのＭＥＳＳＡＧＥ機能によって加入者へ配信する（図１２のｂ８）。
【００６７】
移動型サービス提供事業者端末５「ａ事業者」からの情報配信を受けた加入者＃１端末１−１及び加入者＃Ｎ端末１−Ｎは、受信したメッセージｍを参照して、情報配信サーバ４へ自動的にアクセスする（図１２のｂ９，ｂ１２）。
【００６８】
情報配信サーバ４は、加入者＃１端末１−１と加入者＃Ｎ端末１−Ｎとに情報を配信する（図１２のｂ１０，ｂ１３）。加入者＃１端末１−１及び加入者＃Ｎ端末１−Ｎは、情報配信サーバ４から受信した情報を加入者が利用するモニタやテレビ画面に表示する（図１２のｂ１１，ｂ１４）。
【００６９】
加入者は、表示された情報を参照して、移動型サービス提供事業者端末５「ａ事業者」からのサービスの授受を選択し、「ａ事業者」からのサービス提供を受けることになる（図１２のｂ１５）。
【００７０】
このように、本実施例では、移動してサービス提供を実施する移動型サービス提供事業者端末５の状態をプレゼンスとして管理しているため、顧客（加入者端末）が移動型サービス提供事業者のサービスを自分の登録したサービス提供エリアで授受することができる。
【００７１】
また、本実施例では、移動型サービス提供事業者が、予めサービス提供する情報を情報コンテンツとして情報配信サーバ４に登録し、自端末の移動に合わせて情報コンテンツを加入者に配信するため、顧客（加入者端末）が移動型サービス提供事業者のサービス状況を正確に認識することができる。
【００７２】
さらに、本実施例では、移動型サービス提供事業者の特定エリアの存在有無をプレゼンスとして管理し、サービス登録した顧客（加入者端末）へ情報コンテンツを配信するため、移動型サービス提供事業者が、固定網に接続されかつ移動型サービス提供事業者が近隣のエリアにきてサービスを提供するのを待っている顧客（加入者端末）を獲得し、その顧客（加入者端末）にサービスを提供することができる。
【実施例２】
【００７３】
図１３は本発明の他の実施例による情報配信システムの動作を示すシーケンスチャートである。本発明の他の実施例による情報配信システムは図１に示す本発明の一実施例による情報配信システムと同様の構成となっており、またその構成要素各々の構成も本発明の一実施例と同様である。但し、本発明の他の実施例では、移動型サービス提供事業者端末５が、エリア（＃Ｎ）２０１にてサービスに関わる情報コンテンツを更新する点で、上述した本発明の一実施例による動作とは異なる。
【００７４】
以下、図１〜図１０と図１３とを参照して、本発明の他の実施例による情報配信システムの動作について説明する。尚、図１３のｃ１〜ｃ１２の処理は、図１２のｂ１〜ｂ１１，ｂ１５の処理と同様である。
【００７５】
移動型サービス提供事業者端末５は、移動中に加入者へのサービス提供を実施し、移動中のサービス提供の状態、例えば、顧客に提供する商品の種類数量に変化があった場合、自ら提供する情報コンテンツを情報配信サーバ４へ再登録して更新する（図１３のｃ１３）。
【００７６】
情報配信サーバ４は、移動型サービス提供事業者サービス情報提供テーブル４１を更新すると同時に（図１３のｃ１４）、移動型サービス提供事業者が更新した情報を情報コンテンツに保存し（図１３のｃ１５）、移動型サービス提供事業者サービス情報テーブル４１が更新されたことをサービス制御サーバ３に通知する（図１３のｃ１６）。
【００７７】
このように、本実施例では、移動型サービス提供事業者が予め登録した顧客に配信したい情報を、移動型サービス提供事業者が移動中であっても更新することができる。移動型サービス提供事業者は、移動中も顧客に対して最新の情報を配信することができる。
【００７８】
尚、本発明は、移動型サービス提供事業者端末５に、自位置情報をＧＰＳ、ＰＨＳ、ＲＦＩＤ等にて検出させるための位置情報通知機能と、自端末より情報を配信するための情報配信機能とを備え、この情報配信機能によって、移動型サービス提供事業者が、自ら移動中もカメラ等を利用することで、自らが扱う商品の状態を加入者に映像化する等して、情報コンテンツを加入者へ配信することも可能である。
【００７９】
また、本発明では、移動型サービス提供事業者端末５が加入者へ配信する情報コンテンツとして、サービス提供事業者が保持する移動体の電話番号を通知することによって、サービスを利用する顧客から直接電話を受け、即顧客のサービス要求に対応し、サービスを提供することも可能である。
【産業上の利用可能性】
【００８０】
本発明は、移動しながら顧客のサービスを提供するサービス提供事業者が、顧客がサービスを提供されるのに適したエリアにサービス提供事業者が移動してきたことを顧客にプレゼンス情報として提供すると同時に、サービス提供者が提供できるサービスを情報コンテンツとして、顧客に提供するという用途に適用することができる。
【００８１】
また、本発明は、顧客が、サービス提供事業者が移動して、例えば隣接したエリアに来た時にサービスを受けることができ、最小限で、サービスを受け入れるというサービス提供用に適用することができる。
【００８２】
より具体的に説明すると、本発明は、宅配業界による配達荷物の収集、移動型医療サービス、警察の巡回時、ＡＶ（Ａｕｄｉｏ  Ｖｉｓｕａｌ）家電やパーソナルコンピュータの保守・修理サービス等、顧客が出向くのではなく、顧客が宅内にいながらにして、移動型サービス提供事業者が近隣に来た特にサービスを受けるといった業態に適用することができる。
【図面の簡単な説明】
【００８３】
【図１】本発明の一実施例による情報配信システムの構成例を示すブロック図である。
【図２】図１の加入者端末の構成例を示すブロック図である。
【図３】図１のプレゼンス管理サーバの構成例を示すブロック図である。
【図４】図１のサービス制御サーバの構成例を示すブロック図である。
【図５】図１の情報配信サーバの構成例を示すブロック図である。
【図６】図１の移動型サービス提供事業者端末の構成例を示すブロック図である。
【図７】本発明の一実施例によるメッセージの構成例を示す図である。
【図８】図３の移動型サービス提供事業者状態管理テーブルの構成例を示す図である。
【図９】図４の利用者管理テーブルの構成例を示す図である。
【図１０】図５の移動型サービス提供事業者サービス情報提供テーブルの構成例を示す図である。
【図１１】本発明の一実施例による情報配信システムの動作を示すシーケンスチャートである。
【図１２】本発明の一実施例による情報配信システムの動作を示すシーケンスチャートである。
【図１３】本発明の他の実施例による情報配信システムの動作を示すシーケンスチャートである。
【符号の説明】
【００８４】
１  加入者端末
１−１  加入者＃１端末
１−２  加入者＃２端末
１−Ｎ  加入者＃Ｎ端末
２  プレゼンス管理サーバ
３  サービス制御サーバ
４  情報配信サーバ
５  移動型サービス提供事業者端末
１１，３２，４２  ＳＩＰ機能
１２，４３  ＳＩＰメッセージ機能
１３  アプリケーション機能
１４  表示機能
２１  移動型サービス提供事業者状態管理テーブル
２２  移動型サービス提供事業者プレゼンス管理機能
３１  利用者管理テーブル
３３  アプリケーション制御実行機能
４１  移動型サービス提供事業者サービス情報提供テーブル
４４，５２  情報配信機能
４５  情報コンテンツデータベース
５１  位置情報通知機能
１００  ネットワーク
２０１  エリア（＃Ｎ）
２０２  エリア（＃Ａ）
２１１  エリア情報領域
２１２  移動型サービス提供事業者領域
２１３  状態領域
３１１  エリア情報領域
３１２  移動型サービス提供事業者領域
３１３  サービス利用ユーザ領域
４１１  エリア情報領域
４１２  移動型サービス提供事業者領域
４１３  コンテンツリスト領域
４１４  種別領域
４１５  コンテンツアクセス情報領域
ｍ  メッセージ
ｍ１  移動型サービス提供事業者ＩＤ
ｍ２  コマンド
ｍ３  メッセージタイプ
ｍ４  メッセージボディ
【図１】
2008263326.tif 000003
【図２】
2008263326.tif 000004
【図３】
2008263326.tif 000005
【図４】
2008263326.tif 000006
【図５】
2008263326.tif 000007
【図６】
2008263326.tif 000008
【図７】
2008263326.tif 000009
【図８】
2008263326.tif 000010
【図９】
2008263326.tif 000011
【図１０】
2008263326.tif 000012
【図１１】
2008263326.tif 000013
【図１２】
2008263326.tif 000014
【図１３】
2008263326.tif 000015